【手続補正書】
【提出日】平成22年8月18日(2010.8.18)
【手続補正１】
【補正対象書類名】明細書
【補正対象項目名】発明の名称
【補正方法】変更
【補正の内容】
【発明の名称】水晶振動子と水晶ユニットと携帯機器
【手続補正２】
【補正対象書類名】特許請求の範囲
【補正対象項目名】全文
【補正方法】変更
【補正の内容】
【特許請求の範囲】
【請求項１】
音叉基部と前記音叉基部に接続された少なくとも第１音叉腕と第２音叉腕を備えて構成され、屈曲モードで振動する音叉型屈曲水晶振動子で、前記第１音叉腕と前記第２音叉腕の一端部は前記音叉基部に接続され、他端部は自由である音叉型屈曲水晶振動子であって、前記第１音叉腕と前記第２音叉腕の各々は、上面とその上面に対抗する下面と、内側側面とその内側側面に対抗する外側側面とを有し、前記第１音叉腕と前記第２音叉腕の各々の上面は水晶面の同一面に形成され、かつ、前記第１音叉腕の内側側面は前記第２音叉腕の内側側面に対向していて、前記第１音叉腕と前記第２音叉腕の各々の上面と下面の各々に、少なくとも２個の段差部を有する溝が形成され、前記第１音叉腕と前記第２音叉腕の各々の上面に形成された溝の少なくとも２個の段差部は、第１段差部と第２段差部と第３段差部とを有し、第１段差部は第３段差部を介して第２段差部に接続され、前記第１音叉腕の上面に形成された溝の第１段差部と第２段差部の各々は、前記第１音叉腕の内側側面に対抗して形成され、かつ、前記第２音叉腕の上面に形成された溝の第１段差部と第２段差部の各々は、前記第２音叉腕の内側側面に対抗して形成されていることを特徴とする水晶振動子。
【請求項２】
前記第１音叉腕と前記第２音叉腕の各々の上面と下面の各々に形成された溝の形状は、四角形と異なる多角形の形状であることを特徴とする請求項１に記載の水晶振動子。
【請求項３】
請求項１または請求項２に記載の水晶振動子を備えた水晶ユニットで、前記音叉型屈曲水晶振動子はケースの固定部に固定され、かつ、蓋が前記ケースに接続されていることを特徴とする水晶ユニット。
【請求項４】
請求項１または請求項２に記載の水晶振動子と、あるいは請求項３に記載の水晶ユニットと、増幅器と、コンデンサーと、抵抗素子とを備えた水晶発振器を備えて構成される携帯機器で、前記水晶発振器を前記携帯機器の基準信号源として用いることを特徴とする携帯機器。
【手続補正３】
【補正対象書類名】明細書
【補正対象項目名】０００７
【補正方法】変更
【補正の内容】
【０００７】  本発明の水晶振動子の第１の態様は、音叉基部と前記音叉基部に接続された少なくとも第１音叉腕と第２音叉腕を備えて構成され、屈曲モードで振動する音叉型屈曲水晶振動子で、前記第１音叉腕と前記第２音叉腕の一端部は前記音叉基部に接続され、他端部は自由である音叉型屈曲水晶振動子であって、前記第１音叉腕と前記第２音叉腕の各々は、上面とその上面に対抗する下面と、内側側面とその内側側面に対抗する外側側面とを有し、前記第１音叉腕と前記第２音叉腕の各々の上面は水晶面の同一面に形成され、かつ、前記第１音叉腕の内側側面は前記第２音叉腕の内側側面に対向していて、前記第１音叉腕と前記第２音叉腕の各々の上面と下面の各々に、少なくとも２個の段差部を有する溝が形成され、前記第１音叉腕と前記第２音叉腕の各々の上面に形成された溝の少なくとも２個の段差部は、第１段差部と第２段差部と第３段差部とを有し、第１段差部は第３段差部を介して第２段差部に接続され、前記第１音叉腕の上面に形成された溝の第１段差部と第２段差部の各々は、前記第１音叉腕の内側側面に対抗して形成され、かつ、前記第２音叉腕の上面に形成された溝の第１段差部と第２段差部の各々は、前記第２音叉腕の内側側面に対抗して形成されている水晶振動子である。
本発明の水晶振動子の第２の態様は、前記第１音叉腕と前記第２音叉腕の各々の上面と下面の各々に形成された溝の形状は、四角形と異なる多角形の形状である第１の態様に記載の水晶振動子である。
【手続補正４】
【補正対象書類名】明細書
【補正対象項目名】０００８
【補正方法】変更
【補正の内容】
【０００８】  本発明の水晶ユニットの第１の態様は、第１の態様または第２の態様に記載の水晶振動子を備えた水晶ユニットで、前記音叉型屈曲水晶振動子はケースの固定部に固定され、かつ、蓋が前記ケースに接続されている水晶ユニットである。
本発明の携帯機器の第１の態様は、第１の態様または第２の態様に記載の水晶振動子と、あるいは第１の態様に記載の水晶ユニットと、増幅器と、コンデンサーと、抵抗素子とを備えた水晶発振器を備えて構成される携帯機器で、前記水晶発振器を前記携帯機器の基準信号源として用いる携帯機器である。
【手続補正５】
【補正対象書類名】明細書
【補正対象項目名】０００１
【補正方法】変更
【補正の内容】
【０００１】  本発明は音叉型屈曲水晶振動子を収納した水晶ユニットとその製造方法に関する。特に、小型化、高精度化、耐衝撃性、低廉化の要求の強い携帯機器用の基準信号源として最適な新電極形成を備えた水晶ユニットとその製造方法に関する。
【手続補正６】
【補正対象書類名】明細書
【補正対象項目名】０００５
【補正方法】変更
【補正の内容】
【０００５】又、例えば、上記従来の特開昭５６−６５５１７と国際公開第００／４４０９２では音叉腕に溝を設け、且つ、溝の構成と電極構成について開示している。又、２００１−２２１６３８の特許文献では電界方向が示されている。しかしながら、本発明の音叉型屈曲水晶振動子の溝の構成、寸法と振動モード並びに等価直列抵抗Ｒ１、Ｒ２との関係、及び２電極端子と電極配置との関係について記載されていない。更に、本発明の水晶ユニットとその製造方法についても全く開示されていない。このようなことから、小型の水晶ユニットを実現するには超小型で、等価直列抵抗Ｒ１の小さい、品質係数Ｑ値が高くなるような新形状で、電気機械変換効率の良い電極配置とその構成を備える音叉型屈曲水晶振動子とそれを備えた水晶ユニットとそれらの製造方法とが所望されていた。
【手続補正７】
【補正対象書類名】明細書
【補正対象項目名】０００６
【補正方法】変更
【補正の内容】
【０００６】  本発明は、以下の方法で従来の課題を有利に解決した水晶振動子と水晶ユニットおよびそれらの製造方法と水晶発振器と携帯機器を提供することを目的とするものである。
【手続補正８】
【補正対象書類名】明細書
【補正対象項目名】０００９
【補正方法】変更
【補正の内容】
【０００９】  このように、本発明は水晶振動子と水晶ユニットおよびそれらの製造方法で、音叉腕の側面の電極およびそれに対抗する異極の電極を持つ新しい形状と電極構成を有する音叉型屈曲水晶振動子、即ち、例えば、音叉腕の中立線を挟んだ中央部に溝を設け、且つその溝に電極を配置した音叉型屈曲水晶振動子を採用することにより、電気的諸特性に優れた超小型の水晶ユニットとそれを備えた水晶発振器を提供することができる。
【手続補正９】
【補正対象書類名】明細書
【補正対象項目名】００１２
【補正方法】変更
【補正の内容】
【００１２】  又、音叉腕に溝を有する前記音叉型屈曲水晶振動子の基本波モード振動の等価直列抵抗Ｒ１が２次高調波モード振動の等価直列抵抗Ｒ２より小さい音叉型屈曲水晶振動子を備えた水晶ユニットを備えて水晶発振器が構成されるので、２次高調波モード振動を抑えた基本波モードで容易に振動する良好な水晶発振器が実現できる。
【手続補正１０】
【補正対象書類名】明細書
【補正対象項目名】００１３
【補正方法】変更
【補正の内容】
【００１３】  更に、本発明で用いられる新形状と新電極構成を有する音叉型屈曲水晶振動子の製造方法を提供することにより、超小型で、品質に優れた、安価な水晶振動子を実現することができる。
【手続補正１１】
【補正対象書類名】明細書
【補正対象項目名】００６３
【補正方法】変更
【補正の内容】
【００６３】  以上述べたように、本発明の水晶振動子と水晶ユニットおよびそれらの製造方法によれば、さらに次の如き著しい効果が得られる。
（１）音叉腕の中立線を挟んで溝を設けることにより、電界が垂直に働く。その結果、電気機械変換効率が良くなるので、等価直列抵抗Ｒ１の小さい、品質係数Ｑ値の高い音叉型屈曲水晶振動子とそれを収納した水晶ユニットが得られる。
（２）等価直列抵抗Ｒ１の小さい超小型の音叉型屈曲水晶振動子が搭載されるので、超小型の水晶ユニットが高品質で実現できる。
（３）音叉型屈曲水晶振動子の音叉寸法と溝との関係を示すことにより、２次高調波振動を抑えた基本波モードで振動する、しかも、等価直列抵抗Ｒ１の小さい超小型の音叉型屈曲水晶振動子を得ることができるので、超小型の水晶ユニットが高品質で得られる。